【手続補正書】
【提出日】平成18年2月1日(2006.2.1)
【手続補正１】
【補正対象書類名】明細書
【補正対象項目名】特許請求の範囲
【補正方法】変更
【補正の内容】
【特許請求の範囲】
【請求項１】  少なくとも１つの像担持体に画像を形成する画像形成手段、
前記像担持体の画像を、タブ紙やプリパンチ紙や非矩形紙のどれか１つの特殊紙を含む記録紙に転写させると共に、転写部のクリーニング動作を有する転写手段、および
前記特殊紙に前記像担持体の画像を転写することに応じて、前記転写手段を制御し、前記転写部のクリーニング動作を実行させる制御手段
を備えることを特徴とする画像形成装置。
【請求項２】  前記制御手段は、前記特殊紙以外の記録紙に前記像担持体の画像を転写することに応じて、前記転写手段を制御し、前記転写部のクリーニング動作を実行させないことを特徴とする請求項１記載の画像形成装置。
【請求項３】  前記制御手段は、前記画像形成手段が前記特殊紙に画像形成することに応じて、前記特殊紙以外の記録紙に画像形成する記録紙搬送間隔よりも長い記録紙搬送間隔で、記録紙の搬送タイミングを制御することを特徴とする請求項１記載の画像形成装置。
【請求項４】  少なくとも１つの像担持体に画像を形成する画像形成手段、
前記像担持体の画像を中間転写体に転写する第１転写手段、
前記中間転写体の画像を、タブ紙やプリパンチ紙や非矩形紙のどれか１つの特殊紙を含む記録紙に転写させると共に、転写部のクリーニング動作を有する第２転写手段、および
前記特殊紙に前記中間転写体の画像を転写することに応じて、前記第２転写手段を制御し、前記転写部のクリーニング動作を実行させる制御手段
を備えることを特徴とする画像形成装置。
【請求項５】  前記制御手段は、前記特殊紙以外の記録紙に前記中間転写体の画像を転写することに応じて、前記第２転写手段を制御し、前記転写部のクリーニング動作を実行させないことを特徴とする請求項４記載の画像形成装置。
【請求項６】  前記制御手段は、前記画像形成手段が前記特殊紙に画像形成することに応じて、前記特殊紙以外の記録紙に画像形成する記録紙搬送間隔よりも長い記録紙搬送間隔で、記録紙の搬送タイミングを制御することを特徴とする請求項４記載の画像形成装置。
【請求項７】  前記中間転写体は、その周囲にスモールサイズの画像を複数担持することが可能であり、
前記制御手段は、
前記特殊紙以外のスモールサイズの用紙に前記スモールサイズの画像を形成するときに、前記画像形成手段を制御して、前記中間転写体に複数の画像形成を実行させ、
前記特殊紙に前記スモールサイズの画像を形成するときに、前記画像形成手段を制御して、前記中間転写体に複数の画像形成を実行させない
ことを特徴とする請求項１記載の画像形成装置。
【請求項８】  少なくとも１つの像担持体に画像を形成する画像形成手段、
前記像担持体の画像を、タブ紙やプリパンチ紙や非矩形紙どれか１つの特殊紙を含む記録紙に転写させる共に、転写部のクリーニング動作を有する転写手段、
前記特殊紙に画像形成させる第１モードと、前記特殊紙以外の用紙上に画像形成させる第２モードを選択する選択手段、および
前記選択手段で第１モードを選択した時、前記転写手段における前記転写部のクリーニング動作を実行させ、前記選択手段で第２モードを選択した時、前記転写手段における前記転写部のクリーニング動作を実行させない制御手段
を備えることを特徴とする画像形成装置。
【請求項９】  少なくとも１つの像担持体に画像を形成する画像形成手段、
前記像担持体の画像を中間転写体に転写する第１転写手段、
前記中間転写体の画像を、タブ紙やプリパンチ紙や非矩形紙のどれか１つの特殊紙を含む記録紙に転写させると共に、転写部のクリーニング動作を有する第２転写手段、
前記特殊紙に画像形成させる第１モードと、前記特殊紙以外の用紙に画像形成させる第２モードを選択する選択手段、および
前記選択手段で第１モードを選択した時、前記転写手段における前記転写部のクリーニング動作を実行させ、前記選択手段で第２モードを選択した時、前記転写手段における前記転写部のクリーニング動作を実行させない制御手段
を備えることを特徴とする画像形成装置。
【請求項１０】  少なくとも１つの像担持体に画像を形成する画像形成手段、
前記像担持体の画像を、タブ紙やプリパンチ紙や非矩形紙どれか１つの特殊紙を含む記録紙に転写させる共に、転写部のクリーニング動作を有する転写手段、
前記特殊紙の紙部分以外の部分を画像形成部分として含むように前記特殊紙に画像形成させる第１モードと、前記特殊紙の紙部分以外の部分を画像形成部分として含まないように前記特殊紙に画像形成させる第２モードを選択する選択手段、および
前記選択手段で第１モードを選択した時、前記転写手段における前記転写部のクリーニング動作を実行させ、前記選択手段で第２モードを選択した時、前記転写手段における前記転写部のクリーニング動作を実行させない制御手段
を備えることを特徴とする画像形成装置。
【請求項１１】  少なくとも１つの像担持体に画像を形成する画像形成手段、
前記像担持体の画像を中間転写体に転写する第１転写手段、
前記中間転写体の画像を、タブ紙やプリパンチ紙や非矩形紙のどれか１つの特殊紙を含む記録紙に転写させると共に、転写部のクリーニング動作を有する第２転写手段、
前記特殊紙の紙部分以外の部分を画像形成部分として含むように前記特殊紙に画像形成させる第１モードと、前記特殊紙の紙部分以外の部分を画像形成部分として含まないように前記特殊紙に画像形成させる第２モードを選択する選択手段、および
前記選択手段で第１モードを選択した時、前記転写手段における前記転写部のクリーニング動作を実行させ、前記選択手段で第２モードを選択した時、前記転写手段における前記転写部のクリーニング動作を実行させない制御手段
を備えることを特徴とする画像形成装置。
【手続補正２】
【補正対象書類名】明細書
【補正対象項目名】０００６
【補正方法】変更
【補正の内容】
【０００６】
本発明の第１の目的は、画像形成装置であって、少なくとも１つの像担持体に画像を形成する画像形成手段、前記像担持体の画像を、タブ紙やプリパンチ紙や非矩形紙のどれか１つの特殊紙を含む記録紙に転写させると共に、転写部のクリーニング動作を有する転写手段、および前記特殊紙に前記像担持体の画像を転写することに応じて、前記転写手段を制御し、前記転写部のクリーニング動作を実行させる制御手段、を備えることを特徴とする画像形成装置を提供することである。
【手続補正３】
【補正対象書類名】明細書
【補正対象項目名】０００７
【補正方法】変更
【補正の内容】
【０００７】
また、本発明の第２の目的は、画像形成装置であって、少なくとも１つの像担持体に画像を形成する画像形成手段、前記像担持体の画像を中間転写体に転写する第１転写手段、前記中間転写体の画像を、タブ紙やプリパンチ紙や非矩形紙のどれか１つの特殊紙を含む記録紙に転写させると共に、転写部のクリーニング動作を有する第２転写手段、および前記特殊紙に前記中間転写体の画像を転写することに応じて、前記第２転写手段を制御し、前記転写部のクリーニング動作を実行させる制御手段を備えることを特徴とする画像形成装置を提供することである。
【手続補正４】
【補正対象書類名】明細書
【補正対象項目名】０００８
【補正方法】変更
【補正の内容】
【０００８】
また、本発明の第３の目的は、画像形成装置であって、少なくとも１つの像担持体に画像を形成する画像形成手段、前記像担持体の画像を、タブ紙やプリパンチ紙や非矩形紙どれか１つの特殊紙を含む記録紙に転写させる共に、転写部のクリーニング動作を有する転写手段、前記特殊紙に画像形成させる第１モードと、前記特殊紙以外の用紙上に画像形成させる第２モードを選択する選択手段、および前記選択手段で第１モードを選択した時、前記転写手段における前記転写部のクリーニング動作を実行させ、前記選択手段で第２モードを選択した時、前記転写手段における前記転写部のクリーニング動作を実行させない制御手段を備えることを特徴とする画像形成装置を提供することである。
【手続補正５】
【補正対象書類名】明細書
【補正対象項目名】０００９
【補正方法】変更
【補正の内容】
【０００９】
また、本発明の第４の目的は、画像形成装置であって、少なくとも１つの像担持体に画像を形成する画像形成手段、前記像担持体の画像を中間転写体に転写する第１転写手段、前記中間転写体の画像を、タブ紙やプリパンチ紙や非矩形紙のどれか１つの特殊紙を含む記録紙に転写させると共に、転写部のクリーニング動作を有する第２転写手段、前記特殊紙に画像形成させる第１モードと、前記特殊紙以外の用紙に画像形成させる第２モードを選択する選択手段、および前記選択手段で第１モードを選択した時、前記転写手段における前記転写部のクリーニング動作を実行させ、前記選択手段で第２モードを選択した時、前記転写手段における前記転写部のクリーニング動作を実行させない制御手段を備えることを特徴とする画像形成装置を提供することである。
【手続補正６】
【補正対象書類名】明細書
【補正対象項目名】００１０
【補正方法】変更
【補正の内容】
【００１０】
さらに、本発明の第５の目的は、画像形成装置であって、少なくとも１つの像担持体に画像を形成する画像形成手段、前記像担持体の画像を、タブ紙やプリパンチ紙や非矩形紙どれか１つの特殊紙を含む記録紙に転写させる共に、転写部のクリーニング動作を有する転写手段、前記特殊紙の紙部分以外の部分を画像形成部分として含むように前記特殊紙に画像形成させる第１モードと、前記特殊紙の紙部分以外の部分を画像形成部分として含まないように前記特殊紙に画像形成させる第２モードを選択する選択手段、および前記選択手段で第１モードを選択した時、前記転写手段における前記転写部のクリーニング動作を実行させ、前記選択手段で第２モードを選択した時、前記転写手段における前記転写部のクリーニング動作を実行させない制御手段を備えることを特徴とする画像形成装置を提供することである。
また、本発明の第６の目的は、画像形成装置であって、少なくとも１つの像担持体に画像を形成する画像形成手段、前記像担持体の画像を中間転写体に転写する第１転写手段、前記中間転写体の画像を、タブ紙やプリパンチ紙や非矩形紙のどれか１つの特殊紙を含む記録紙に転写させると共に、転写部のクリーニング動作を有する第２転写手段、前記特殊紙の紙部分以外の部分を画像形成部分として含むように前記特殊紙に画像形成させる第１モードと、前記特殊紙の紙部分以外の部分を画像形成部分として含まないように前記特殊紙に画像形成させる第２モードを選択する選択手段、および前記選択手段で第１モードを選択した時、前記転写手段における前記転写部のクリーニング動作を実行させ、前記選択手段で第２モードを選択した時、前記転写手段における前記転写部のクリーニング動作を実行させない制御手段を備えることを特徴とする画像形成装置を提供することである。